(57)【要約】【課題】改良されたカレンダー機能を備えた時計、特に日付と曜日の表示装置を有する改良された時計を提供する。【解決手段】この時計は日付表示体を備えており、この日付表示体は、複数の数字を表示した日廻リング（date ring)と、１個若しくはそれ以上の歯車を有しそれぞれの歯車が上記日廻リングと噛合して日廻リングを回転させるようにした第１の歯車集成体と、上記第１の歯車集成体の１個若しくはそれ以上の歯車に回動可能に係合したロータを備え、このロータの回転で日廻リングを回転せしめるようにしたステッピングモータとを有し、更にこの時計は上記日付表示体と作動結合された日付維持集成体を有し、この日付維持集成体は、少なくとも筒車とこの筒車に回転可能に作動結合した検出歯車集成体を有する第２の歯車集成体を備え、上記検出歯車が時計方向又は反時計方向に所定量の回転をなすことによって上記ステッピングモータのロータを回転させ  、この結果上記日廻リングが時計方向・反時計方向のいずれかに回転でき、これによって、所定のミッドナイト（真夜中）位置を介してなされる筒車の回転によって、上記ステッピングモータが日廻リングを所定の度合いだけ回転せしめ、数字が表示された日廻リングを前方又は後方に進めるようにし、これによって日廻リングに表示された有効な日付を前進または後退させるようにしてなる時計である。また、本発明は日付や曜日のセットと調整の方法について提供するものである。【選択図】図１【特許請求の範囲】
【請求項１】
日付表示集成体を備えた時計であって、この日付表示集成体は、
複数の数字を表示した日廻リング（date ring)と、
１個若しくはそれ以上の歯車を有しそれぞれの歯車が上記日廻リングと螺合して日廻リングを回転させるようにした第１の歯車集成体と、
上記第１の歯車集成体の１個若しくはそれ以上の歯車に回動可能に係合したロータを備え、このロータの回転で日廻リングを回転せしめるようにしたステッピングモータとを有し、
更にこの時計は上記日付表示集成体と作動結合された日付維持（date-keeping）集成体を有し、この日付維持集成体は、
少なくとも筒車（hour wheel)とこの筒車に回転可能に作動結合した検知歯車（detection wheel）集成体を有する第２の歯車集成体を備え、
上記検知歯車が時計方向又は反時計方向に所定量の回転をなすことによって上記ステッピングモータのロータを回転させ、この結果上記日廻リングが時計方向・反時計方向のいずれかに回転でき、これによって、所定のミッドナイト（真夜中）位置を介してなされる筒車の回転によって、上記ステッピングモータが日廻リングを所定の度合いだけ回転せしめ、数字が表示された日廻リングを前方又は後方に進めるようにしてなることを特徴とする時計。
【請求項２】
前記日付維持集成体は、
ロータを備えた少なくとも第２のステッピンブモータを有し、上記ロータは上記筒車と作動結合しており、
上記筒車は少なくとも上記第２のステッピングモータによって回転されることを特徴とする請求項１に記載の時計。
【請求項３】
上記日付維持集成体は、少なくとも３個の屈曲性を有するフィンガーからなるバネ集成体を有し、上記検知歯車は第１のタブ、第２のタブおよび第３のタブを有し、上記タブにおいて、
上記第１のタブだけが上記第１のフィンガーと接触可能であり、
上記第２のタブだけが上記第２のフィンガーと接触可能であり、
上記第３のタブだけが上記第３のフィンガーと接触可能である、
ことを特徴とする請求項１に記載の時計。
【請求項４】
上記タブのそれぞれは互いに異なる水平面に、且つ上記検知歯車の軸心に沿って隔離された位置に、配置されていることを特徴とする請求項３に記載の時計。
【請求項５】
上記日付維持集成体は、第１、第２および第３の導電パッドを有し、この導電パッドには前記屈曲性のフィンガーが接触可能となっており、
上記第１のタブが上記第１のフィンガーと接触すると、上記第１のフィンガーが上記第１の導電パッドと電気的に接触し、
上記第２のタブが上記上記第２のフィンガーと接触すると、上記第２のフィンガーが上記第２の導電パッドと電気的に接触し、
上記第３のタブが上記上記第３のフィンガーと接触すると、上記第３のフィンガーが上記第３の導電パッドと電気的に接触し、
上記それぞれのフィンガーのうち、２個のフィンガーが同時に対応する導電パッドとは接触不能としてあり、
さらに超小型制御装置若しくはクォーツ・アナログが設けられて、上記検知歯車の回転情報を維持し、上記屈曲性フィンガーと対応する導電パッドとの間の接触動作に基づいて、上記検知歯車が時計方向若しくは反時計方向に回転しているか否かの情報を維持してなる、請求項３に記載の時計。
【請求項６】
上記日付維持集成体は、上記筒車と上記検知歯車との間において係合する中間歯車を有し、
上記筒車の回転によって上記中間歯車を回転させ、上記中間歯車が上記検知歯車に回転を付与し、さらに
上記筒車と上記検知歯車が２：１の割合となるように上記中間歯車の寸法としたことを特徴とする請求項２の時計。
【請求項７】
上記時計はケースと日付表示の為の窓を有し、この窓から数字が見えるように上記日廻リングが上記ケース内に配列されていることを特徴とする請求項１に記載の時計。
【請求項８】
日付表示集成体を備えた時計であり、この日付表示集成体は、
複数の数字を表示した日廻リング（date ring)と、
１個若しくはそれ以上の歯車を有しそれぞれの歯車が上記日廻リングと螺合して日廻リングを回転させるようにした第１の歯車集成体と、
上記第１の歯車集成体の１個若しくはそれ以上の歯車に回動可能に係合したロータを備え、このロータの回転で日廻リングを回転せしめるようにしたステッピングモータとを有し、
更にこの時計は上記日付表示集成体と作動結合された日付維持（date-keeping）集成体を有し、この日付維持集成体は、
少なくとも筒車（hour wheel)とこの筒車に回転可能に作動結合した検出歯車（detection wheel）集成体を有する第２の歯車集成体を備え、更に、
上記検出歯車の少なくとも所定の回転度合いに基づいた信号を受信する手段を有し、上記手段は上記検知歯車の時計／反時計方向に関する情報を維持することができるとともに、このような信号を処理し、それに基づいて前記ステッピングモータのロータを時計又は反時計方向に回転させて上記日廻リングを時計又は反時計方向に回転させ、
これによって、所定のミッドナイト（真夜中)位置を介してなされる筒車の回転によって上記日廻リングを所定の度合いだけ回転せしめ、数字が表示された日廻リングを前方又は後方に進めるようにしてなることを特徴とする時計。
【請求項９】
上記日付維持集成体は、
ロータを備えた少なくとも第２のステッピングモータを有し、上記ロータは上記筒車とは作動結合されており、
上記筒車は上記第２のステッピングモータの回転によって回転可能となていることを特徴とする請求項８に記載の時計。
【請求項１０】
時計の日付と曜日の情報の少なくとも一方を維持且つ表示する時計の方法において、上記時計は、
複数の数字を有する日廻しリングと、上記日廻しリングと螺合する１個若しくはそれ以上の歯車を備えて上記１個若しくはそれ以上の歯車が回転すると上記日廻しリングを回転せしめる第１の歯車集成体と、更に、ロータを有する第１のステッピングモータを備え、上記第１のステッピングモータのロータが上記第１の歯車集成体の上記少なくとも１個若しくはそれ以上の歯車と結合してなる日付表示集成体と、
上記日付表示集成体と作動結合する日付維持集成体と、
上記日付維持集成体は筒車とこの筒車と作動結合する検知歯車集成体とを備
えており、
上記第１のステッピングモータの回転の信号を送る信号送り手段と、
上記上記検知歯車集成体の所定量の時計方向若しくは反時計方向の回転によ
って上記信号送り手段に信号を送り、上記第１のステッピングモータのロー
タを回転させるようにしてなり、
ロータを有する少なくとも第２のステッピングモータとを有し、
上記少なくとも第２のステッピングモータのロータは上記筒車と作動結合し
ており、上記筒車は上記第２のステッピングモータの回転によって少なくと
も部分的に回転可能であり、上記第２のステッピングモータのロータは上記
信号送り手段の制御のもとで回転がなされ、
上記情報の維持と表示の方法は、
上記第２のステッピングモータのロータの回転がいつ停止したかを決定し、経過した時間の計測を開始し、この計測開始がその日の時間とは独立してなされるようにしたステップと、
経過した時間が、少なくとも基本的に２４時間に等しいときを決定するステップと、
上記第１のステッピングモータのロータを進行させ、これによって日廻しリンを回転させ、日廻しリングの数字が次の正確な日付を表示するようにしたステップ、を有してなる方法。
【請求項１１】
請求項１０において、上記方法は、
前記信号送り手段が前記第２のステッピングモータのロータ回転信号を提供していない間、経過した時間を引き続き計測を開始するステップと、
上記引き続いてなされた計測の経過時間が、いつ少なくとも基本的には２４時間となるかを決定するステップと、更に
日廻リングが回転して日廻リングの数字が次の正しい日付を表示するように、上記第１のステッピングモータのロータを回転させるステップ、とを有する請求項１０に記載の方法。
【請求項１２】
請求項１１において、上記方法は、
上記信号送り手段が上記第２のステッピングモータの回転信号を提供していない間、経過した時間を更に追加的に継続して開始するステップと、更に、
日廻リングが回転して数字が次の正しい日付を表示するように、前記第１のステッピングモータのロータを所定方向に基本的に２４時間毎に回転させるステップ、とを有する請求項１１に記載の方法。
【請求項１３】
請求項１０において、前記時計は筒車と係合可能な歯車機構と離脱可能に係合できる合わせ巻真を有し、上記筒車は曜日の表示を有する曜板と回動可能に結合されており、
前記方法は、
経過した２４時間の数を計測するステップと、
前記信号送り手段が第２のステッピングモータを回転させる信号を提供していない間であって、上記合わせ巻真が歯車機構と係合している間において、
上記合わせ巻真を回動することで曜板を調整するステップと、
上記曜板は、計測された経過した２４時間の数に基づいて計算された日の数
だけ調整可能に回転され、更に
上記曜板が計算された数の日だけ回転するまで前記第１のステッピングモータのロータの回転を停止することによって、日廻リングの更なる回転をブロックするブロッキングステップ、とを有する請求項１０に記載の方法。
【請求項１４】
上記ブロッキングステップは、前記信号送り手段から上記第１のステッピングモータのロータを回転させるための信号を送るのを抑制することを含むことを特徴とする請求項１３に記載の方法。
【請求項１５】
請求項１３において、測定された経過した２４時間の数を維持する曜日カウンタを有し、上記方法は、
経過した２４時間の数が「７」に等しいか否かを決定し、等しい場合には、上記曜日カウンタを初期値にイニシャライズするステップ、を有する請求項１３に記載の方法。
【請求項１６】
時計の日付と曜日の少なくとも一方を維持し表示する方法であって、
上記時計は、
複数の数字を備えた日廻リングと、上記日廻リングと螺合結合する１個若しくはそれ以上の歯車を備えて上記歯車が回転すると上記日廻リングが回転するにようにした第１の歯車集成体と、ロータを備えたステッピングモータを備えてなり、上記ステッピングモータのロータは上記第１の歯車集成体の少なくとも１個若しくはそれ以上の歯車と回転可能に結合している構成とした日付表示集成体と、
上記日廻集成体と作動結合した日付維持集成体とを有し、
上記日付維持集成体は、筒車と、この筒車に作動結合した検知歯車を有し、
上記検知歯車集成体が時計方向又は反時計方向に回転することによって、上記ステッピングモータのロータを回転させ、上記日廻リングを時計方向又は反時計方向に回転させ、
前記方法は、
上記検知歯車が所定の増分の数だけ時計方向または反時計方向に回転されていたかを決定するステップと、
上記ステッピングモータのロータを回転させて、日廻リングが時計方向又は反時計方向に回転できるようにしてなる、方法。
【請求項１７】
請求項１６において、上記日付維持集成体は、
少なくとも３個の屈曲性フィンガーを備え、上記検知歯車集成体は第１のタブと第２のタブおよび第３のタブを有しており、上記タブのそれぞれは、（１）第１のタブのみが第１のフィンガーと接触可能であり、（２）第２のタブのみが第２のフィンガーと接触可能であり、（３）第３のタブのみが第３のフィンガーと接触可能となるように、それぞれ配置されてなるバネ集成体と、さらに
上記３個の屈曲性フィンガーのそれぞれに接触ができる第１、第２および第３の導電パッド、
を有し、
上記第１のタブが上記第１のフィンガーに接すると、上記第１のフィンガーは上記第１の導電パッドと電気的に接続し、
上記第２のタブが上記第２のフィンガーに接すると、上記第２のフィンガーは上記第２の導電パッドと電気的に接続し、
上記第３のタブが上記第３のフィンガーに接すると、上記第３のフィンガーは上記第３の導電パッドと電気的に接続し、且つ、上記フィンガーのうち２個のフィンガーがそれぞれの導電パッドと同時には接続できないようになっており、
更に、上記検知歯車集成体の回転に関する情報と、上記検知歯車集成体が前記屈曲性フィンガーと対応する導電パッドとの接触に基づいて時計方向又は反時計方向に回転しているか否かの情報を維持する手段とを有し、
前記方法は、
もし上記手段が第２のフィンガーと第２の導電パッドとの接続を検知し、以前に検知した電気的接続が上記第１のフィンガーと第１の導電パッドの間のものであった場合には、上記日廻リングを時計方向と反時計方向のうち一方の方向に回転し、更に、
上記手段が、以前に検知した電気的接続が第２のフィンガーと第２の導電パッドの間のものであった後で、上記第１のフィンガーと第１の導電パッドとの電気的接続を検知した場合には、上記日廻リングを時計方向と反時計方向のうち他方の方向に回転することを特徴とする、請求項１６に記載の方法。
【請求項１８】
上記信号送り手段は、超小型制御装置若しくはクォーツ・アナログ回路である、請求項１０に記載の方法。
【発明の詳細な説明】
【技術分野】
【０００１】
本発明は腕時計などの時計に関し、更に詳しくは時計における日付および／または曜日の正しい情報を維持するための改良された構造と上記正しい情報の維持方法に関するものである。ここで、上記時計は、アナログ時計とかクォーツ・アナログ時計と称され、時間表示用針を有すると共に、時針と結合した歯車などの１個もしくはそれ以上の歯車を、回転機能体として日廻リング（date ring）を駆動する構成の時計である。さらに具体的には、本発明は、時／分針が機械的に或いは電気的に日付表示集成体からの係合を離脱しても、正確な日付および／または曜日の表示を維持することの可能な構造と方法を提供するものである。
【背景技術】
【０００２】
従来のクォーツ式アナログ時計の場合、時針／分針の停止によって日廻リングが回転不能となることが多く、その結果、日付と、場合によっては曜日に関する正確な表示の情報を失うことになっていた。更に、上記針が長時間（何日も或いは何週間も）係合から離脱もしくは停止した場合、全てのカレンダーリングをきちんと再調整（例えばマニュアル操作により）する必要があり、時計が月や曜日の表示や他の付随的なカレンダー機能を有するものであるときには、上記のような不都合は更に重大なものとなる。このような係合の離脱が生じるのは、操作忘れや時間セッティングによるほんの一瞬時であったり短時間のことであるにしても、このような場合に限らず、時計を使用する者としては、エネルギーがそのまま保護されたままであるという仮定のもとに、意図的に離脱させたり、或いは針を停止させたりする可能性もある。
【０００３】
上記の欠陥を払拭するものとして数々の試みがなされている。その一例として、少なくとも或る種の「万年暦」の時計構造では、針とカレンダーリングが超小型演算装置で制御されるモータによって直に駆動させる機構のものがある。この構造においては、全てのモータの全ての回転ステップが、この超小型演算装置で処理・維持され、曜／日廻リング（day/date ring）の位置決めと同じように全ての針の全ての位置が超小型演算装置で維持される。このような構成の場合、針が停止した場合でも「ミッドナイト（真夜中）」検知装置は必要としない。その理由は、駆動時、或いは上記針と曜／日廻リングがどんなに長時間離脱し或いは停止しても、超小型制御装置は常に針と曜／日廻リングの位置を把握し且つ制御しているからである。しかし、それ故に、針の位置合わせの機能性もまた上記超小型演算装置によって制御される必要がある。加えて、３針（時、分、秒）表示としては、少なくとも２個のモータが必要となり、そのため当業者が容易に理解できるように、時間合わせや日付調整操作が複雑面倒となる。
【０００４】
「万年暦」時計の概念に近い別の形態としては次のものがある。即ち、「標準型」のクォーツ式アナログムーブメントの場合のように、針が１個のモータだけで駆動され、機械的およびマニュアル操作によって針合わせを可能とするものである。しかしながらこの構成の場合、日廻リングの回転による前進を制御するためには２４時間若しくは前記の「ミッドナイト」検知装置が必要となる。この構成の欠陥は、針が停止している間、日廻リングを回転するように超小型制御装置に命令する信号の継続が無くなり、前記のような欠陥が発生してそれが継続することになる。その上、機能を通常の正常運転中には時針と同期して回転する曜日ディスクの組合せにまで発展させると、この構成に伴う前記の欠陥は増加することになる。長時間にわたって針が停止すると、上記２個のリング（曜日と日付け）の正確度の不一致が更に顕著なものとなる。このような問題に対処するために多くの複雑な構造が使用されている。例えば、米国特許第6,088,302号及び同第6,582,118号などがある。
【０００５】
従来技術における別の欠陥としては、時計の針が停止した場合に、曜日リングへの適切な曜日の表示を適切且つ正確に維持（或いはアップデート）することができない、ということが挙げられる。更に、その後に、通常の針合わせ操作によって曜日を調整することによって、日廻リングに表示されている日付を更に誤調整してしまい勝ちとなる。なぜならば、針と、日廻リング及び曜廻リングとの間の典型的な同期性が個々の独立した較正を可能にするものとはならないからである。本発明はこの問題についても克服可能となるものである。
以上より、従来技術における前記した種々の問題点や欠点を払拭し、改良されたカレンダー機能を備えた時計を提供できれば望ましいものであり、本発明はこれを達成すると共に以下に記載のように種々の目的を達成するものである。
【発明の開示】
【０００６】
そこで、本発明の目的は、改良されたカレンダー機能を備えた時計を提供することであり、特に、日付と曜日の表示装置を有する改良された時計を提供することである。
【０００７】
本発明の別の目的は、例えば双方向型のステッピングモータを使用した日付け及び／または曜日の表示装置を備え、ステッピングモータを使用することで、例えば一つの利点として、回転を終了させねばならない時にモータを停止させる如何なる付加的な接点も必要とすることなく、或る日付から別の日付へと正確な駆動アングルが確保できる、改良された時計を提供することである。
【０００８】
本発明の更に別の目的は、調整が容易な日付および／または曜日の表示装置を有し、正確なカレンダーの日付や曜日が連続して、且つ正確に維持できる改良された時計を提供することである。
【０００９】
本発明の更に別の目的は、既に経過した２４時間を計算するのに特定の時間の照合を必要としない日付及び／または曜日の表示装置を備えた改良された時計を提供することである。例えば、針が最初に係合から離脱された時から、既に経過した時間を単に維持することができ、経過したそれぞれの２４時間に到達することで日廻リングが次の日付へと前進できるようにしたものである。
【００１０】
本発明の更に別の目的は、特にアナログ型の時計において日付や曜日などの情報を表示する時計の日付及び／または曜日表示体の設定が容易且つ迅速になし得る方法を提供することである。
【００１１】
本発明の更に別の目的は、正確な曜日情報を維持できるカウンタを使用した曜日表示体を備えた改良された時計を提供することである。
【００１２】
本発明の更に別の目的は、空間を最大限活用した日付及び／または曜日の表示体を備えた改良された時計を提供するものである。
【００１３】
本発明の更に他の目的は、従来の場合には必要とされていた精度の高い電気接点の信頼性が要求されない日付及び／または曜日の表示体を備えた改良された時計を提供することである。
本発明の、上記以外の目的と作用効果は、以下に示す本明細書の記載より明らかとなるものである。
本発明の構成上の特徴、それぞれの要素の結合と組合せ、構成において例示した行程の流れなど、詳細は以下に記載するとおりであるが、発明の技術的範囲は請求項に記載のとおりである。
【００１４】
本発明によれば、日付表示体を備えた時計の改良に係るものである。好ましい実施例において、この時計は日付表示体を備えており、この日付表示体は、複数の数字を表示した日廻リング（date ring)と、１個若しくはそれ以上の歯車を有しそれぞれの歯車が上記日廻リングと噛合して日廻リングを回転させるようにした第１の歯車集成体と、上記第１の歯車集成体の１個若しくはそれ以上の歯車に回動可能に係合したロータを備え、このロータの回転で日廻リングを回転せしめるようにしたステッピングモータとを有し、更にこの時計は上記日付表示体と作動結合された日付維持（date-keeping）集成体を有し、この日付維持集成体は、少なくとも筒車（hour wheel)とこの筒車に回転可能に作動結合した検知歯車（detection wheel）集成体を有する第２の歯車集成体を備え、上記検知歯車が時計方向又は反時計方向に所定量の回転をなすことによって上記ステッピングモータのロータを回転させ、この結果上記日廻リングが時計方向・反時計方向のいずれかに回転でき、これによって、所定のミッドナイト（真夜中）位置を介してなされる筒車の回転によって、上記ステッピングモータが日廻リングを所定の度合いだけ回転せしめ、数字が表示された日廻リングを前方又は後方に進めるようにしてなる時計である。
【００１５】
別の実施例による時計は次のようなものである。即ち、この時計は日付表示体を備えており、この日付表示体は、複数の数字を表示した日廻リング（date ring)と、１個若しくはそれ以上の歯車を有しそれぞれの歯車が上記日廻リングと噛合して日廻リングを回転させるようにした第１の歯車集成体と、上記第１の歯車集成体の１個若しくはそれ以上の歯車に回動可能に係合したロータを備え、このロータの回転で日廻リングを回転せしめるようにしたステッピングモータとを有し、更にこの時計は上記日付表示体と作動結合された日付維持（date-keeping）集成体を有し、この日付維持集成体は、少なくとも筒車（hour wheel)とこの筒車に回転可能に作動結合した検出歯車（detection wheel）集成体を有する第２の歯車集成体を備えると共に、更に、上記検出歯車の少なくとも所定の回転度合いに基づいた信号を受信する超小型制御装置（microcontroller）を有し、上記超小型制御装置は上記検知歯車の時計／反時計方向に関する情報を維持することができるとともに、このような信号を処理し、それに基づいて前記ステッピングモータのロータを時計又は反時計方向に回転させて上記日廻リングを時計又は反時計方向に回転させ、これによって、所定のミッドナイト（真夜中)位置を介してなされる筒車の回転によって上記日廻リングを所定の度合いだけ回転せしめ、数字が表示された日廻リングを前方又は後方に進めるようにしてなる時計である。
【００１６】
更に、本発明の別の態様として、時計の日付と曜日の少なくとも一方に関する情報を維持し且つ表示する好適な方法において、超小型制御装置が第２のステッピングモータのロータの回転を停止した時間を特定するステップと、既に経過した時間の測定を開始するステップを有し、上記測定開始はその日の時間とは独立しており、更に、経過した時間が少なくとも基本的には２４時間であることを決定するステップと、第１のステッピングモータのロータを一方向に回転させるステップとを有し、これにより、日廻リングを回転させて日廻リング上の数字が有効な日付を表示するようにしてなる方法である。
【００１７】
本発明の更に別の態様としては、上記の方法は次のステップを有する。即ち、経過した２４時間の数字を測定するステップと、超小型制御装置が第２のステッピングモータに信号を送信せず、且つ調整軸が歯車集成体と係合している間において、上記調整軸を回転させて曜板（day disc)を調整するステップを有し、上記曜板は、測定済みの経過２４時間の数字に基づいて、計算された日の数だけ調整可能に回転され、更に、上記曜板が計算された日の数だけ回転され終わるまで第１のステッピングモータのロータが回転するのを防止することによって日廻リングが更に回転するのを阻止するステップ、を有する方法である。
【００１８】
上記方法において、検出歯車集成体が時計方向または反時計方向に所定量だけ回転されたかを決定するステップと、ステッピングモータのロータを回転させて日廻リングが時計方向又は反時計方向に回転できるようにしたステップとを有している方法である。
【発明を実施するための最良の形態】
【００１９】
以下、本発明の実施の形態について図面を用いて詳しく説明する。
図１〜図６は、符号１で示した時計の本発明に関連する部材及び部位を示している（図８についても同様である）。
図１は本発明による日付表示体とその集成体の好適な構造を示している。より具体的には、この日付表示集成体は日廻リング１２を有し、それには複数の数字（例えば１，２，３、....、３１）が印刷、シルクスクリーン、塗布その他の所望方法により表示されている。日廻リング１２は好ましくは複数の歯１３をその内周部に有し、以下に説明する歯車集成体と噛合している。
【００２０】
本発明の好ましい実施例について更に具体的に説明する。日付表示集成体の為の歯車集成体は１個若しくはそれ以上の歯車を備えている。図１に図示された日廻車１６にはカナ（以下、ピニオンと称す）１７が、その歯を介して日廻リング１２と結合され、日廻リング１２の歯１３と噛合するように配列されている。この歯車集成体は中間歯車１８を備えており、この中間歯車１８はそれ自体が日廻車１６の外周の歯と噛合結合するように配列されたピニオン１９を備えている。このように、１個もしくはそれ以上の歯車（例えば、日廻車１６と中間歯車１８）が回転すると、以下に詳述するように、日廻リング１２を回転する結果となる。勿論、歯車集成体に含まれる歯車の数は上記に対して増減可能であり、この種の選択は、動力やトルクなどの制約に基づいて意図する目的と機能を得るための設計事項である。
【００２１】
更に、好適な実施例による日付表示集成体としては、符号２０で示すステッピングモータを備えている。ステッピングモータ２０はロータ２１を有し、これが、第１の歯車集成体の少なくとも１個又はそれ以上の歯車（例えば中間歯車１８）と回転可能に係合されている。即ち、ロータ２１は、中間歯車１８の外周の歯と噛合するように配列されている。
【００２２】
所望のステッピングモータや構成要素については当業者の選択の範囲内の事項である。
本発明に係る時計について、特に、日付維持の集成体（図２の符号４で表示）に関して図２〜図５を参照して説明する。本発明の日付維持集成体は少なくとも第２の歯車集成体を備えているが、この第２の歯車集成体は少なくとも筒車４８と検知歯車集成体（符号５３にて表示）を有しており、検知歯車集成体５３は筒車４８と回転可能に作動結合されている。図２より歯車各々の関係と係合について理解されると思われるが、詳細を以下に説明する。
【００２３】
本発明の日付維持集成体は少なくとも第２のステッピングモータ３０を有しており、このステッピングモータ３０は、特に説明するまでもなく、双方向型のものである必要はない。図２と図３に示されているように、ステッピングモータ３０は中間歯車３４と噛合するロータ３２を有する。中間歯車３４は二番車３６と噛合するカナ、即ちピニオン３５を有する。二番車３６は三番車４０と噛合するピニオン３８を有する。三番車４０のピニオン４２は二番歯車（center wheel）４４と噛合している。二番歯車４４の外周縁は日の裏車（minute wheel)４６と噛合すべく配列されている。日の裏車４６のピニオン４７は筒車４８と噛合している。この日付維持集成体を完成させると、筒車４８が結果として中間歯車５０と係合関係となる。中間歯車５０はピニオン５２を有し、このピニオン５２が検知歯車集成体５３の一部となる歯車の外周縁部と噛合された配列となる。
【００２４】
二番車３６には秒針（図示せず）が結合されており、二番歯車４４には分針（図示せず）が結合され、そして筒車４８には時針（図示せず）が結合されている。
【００２５】
このように、筒車４８が回動すると、中間歯車５０を介して検知歯車集成体５３を回転させる。検知歯車集成体５３のの回転方向（時計方向または反時計方向）は、筒車４８の回転の方向（時計方向或いは反時計方向）によって制御される。
【００２６】
かくして、時計１が検知歯車集成体５３の時計方向或いは反時計方向（及び回転量）に関する情報を維持できるのであれば、時計１はステッピングモータ２０のロータを順方向または逆方向のいずれかの方向に（その状態にあわせて）正確に回転せしめ、日廻リング１２を時計方向または反時計方向の適切な方向に回転させることができる。この機能をなさしめるために超小型制御装置６０が設けられている。即ち、超小型制御装置６０は検知歯車集成体５３の少なくとも所定の回転量に基づいた信号を受信し、その受信信号を処理し、ステッピングモータ２０のロータを時計方向又は反時計方向に適切に回転させ、これによって、その状態に合わせて、日廻リング１２が時計方向若しくは反時計方向に回転可能となる。このように、予め決められた「ミッドナイト」（真夜中）位置を通して、筒車４８が回転し、その結果日廻リング１２が所定の数の程度だけ回転し、日廻リング１２に表示された数字を前方または後方に進行させる。
【００２７】
超小型制御装置が如何にして検知歯車集成体５３の回転方向を「把握し」、且つそれを維持するか、については次ぎに詳述することにする。
図２及び図４に示すとおり、日付維持集成体は、符号７０で示すバネ集成体を有しており、このバネ集成体７０は少なくとも３個の屈曲可能な指状部材、即ちフィンガー７２，７３，７４を有し、他方、検知歯車集成体５３は、第１のタブ５５，第２のタブ５６および第３のタブ５７を有する円筒部材５４を備えている。各タブは、第１のタブ５５だけが第１のフィンガー７２と接触でき、第２のタブ５６だけが第２のフィンガー７３と接触でき、第３のタブ５７だけが第３のフィンガー７４と接触できるような位置関係となっている。換言すれば、第２図から明らかなように、それぞれのタブが異なる水平面に配置され（円筒部材５４上のマークＰ１，Ｐ２，Ｐ３参照）、長手軸”ｌ”に沿って見た場合互いにずれた位置関係となっている。このように、それぞれのタブ５５，５６，５７の二つが、垂直方向または水平方向において互いに整合状態とはならない状態で位置している。
【００２８】
上記に関連して、日付維持集成体は第１、第２、第３の導電性のパッド（８０，８１，８２）をしており、これらのパッドが超小型制御装置６０に作動（例えば電気的に）結合されている。上記フィンガーの各々が対応するパッドに対して整合するように配列されており、第１のタブ５５が第１のフィンガー７２と接触すると、第１のフィンガー７２は第１の導電パッド８０と電気的に接続し、第２のタブ５６が第２のフィンガー７３に接触すると、第２のフィンガー７３は第２の導電パッド８１に電気的に接続し、第３のタブ５７が第３のフィンガー７４と接触すると、第３のフィンガー７４は第３の導電パッド８２に電気的に接続する。このタブ５５，５６，５７は互いにずれて配置され、導電性パッド８０，８１，８２のうち２個が同時に接触できないようになっている。これより理解されるように、超小型制御装置６０は検知歯車集成体５３の回転に関する情報を受信し、且つ維持することができる。具体的には、検知歯車集成体５３が、上記屈曲可能なフィンガーと対応する導電パッドとの間の接触順序に基づいて、時計方向または反時計方向に回転しているのか否か、という回転に関する情報である。
【００２９】
上記３個の導電パッド８０，８１，８２は、当業者が容易に理解できるように、Ｖｄｄ若しくはＶｓｓに電気的に結合可能である。従って、例示的な実施例としては、ステッピングモータ２０は上記のような状態にて日廻リング１２を回転させ、引き続き次の数字が表示される。（例えば、２から３へ、１５から１６へ、或いは３１から１へ。但し、１ヶ月が３０日の月は、超小型制御装置が日板(date disc）を回転させて３０から直に１に移行させる。同様に、２月の月に関しては２８から１へ、そして閏年の場合には２９から１に移行するように超小型制御装置が正しい日数情報を維持できる。）但し、その場合の条件として、超小型制御装置６０が第２のフィンガー７３と第２の導電パッド８１との電気的接続を検知し、それ以前に検知された電気接続が第１のフィンガー７２と第１の導電パッド８０との間の接続であった場合である。このような対応する接続がタブ５６と５５による対応するフィンガー７３と７２の撓みによって生じる。他方、日廻リング１２はステッピングモータ２０の適切な回転によって反時計方向に回転されて以前の数字が表示されるようになっている（例えば、３から２へ、１６から１５へ、或いは１から３１へ、そして前記同様に、前の月が３０日だけの月の場合には超小型制御装置は日板を直接１から３０に、前の月が２月で閏年でないときは１から２８へ、そして、閏年の２月の場合には１から２９へと回転させる。）もしも超小型制御装置６０が第１のフィンガー７２と第１の導電パッド８０との間の接続を検知し、それ以前に検知した電気的接続が第２のフィンガー７３と第２の導電パッド８１との間のものであった場合には、上記日廻リング１２は反時計方向の回転を始める。なお、第３のフィンガーを組み込んだことで、検知歯車集成体５３の回転方向の検出が容易となる。このように、超小型制御装置は筒車４８が回転して時針がミッドナイト位置を介して後退移動するように（例えば、午前１：００ → 午後１２：００ → 午後１１：００）、筒車４８が回転していることを「把握」することができる。
【００３０】
図４〜図６を参照して本発明の別の特徴、即ち曜日維持（day-keeping)集成体について説明する。
ここで、曜日維持集成体は曜廻車（intermediate wheel)９０を有しており、この曜廻車９０は好ましくはそれ自体が曜車(day wheel)９３と噛合結合するピニオン９２を備えている。この曜車９３は、曜日を印刷、シルクスクリーン、塗布などの方法で表示された曜板９４を回転させるためのものである。符号９６で示したスプロケットは複数のポスト９７を有し、曜板９４と直接結合されて、スプロケット９６の回転によって曜板９４が回転されるようになっている。
【００３１】
スプロケット９６を回動するために、曜車９３の文字板側にレッグ９５が形成されている。かくて、曜車９３が１回転することによって突状のレッグ９５が「次の」ポスト９７に係合することとなり、次の曜日が表示されるように所定方向に付勢する。この動作を容易ならしめるために、バネ９８を設けて曜板９４の回動によって次の「曜日位置」に付勢する。このバネが設けられることによって、上記レッグ９５が上記ポストを自分で次の位置に完全に移動する必要性を無くす。即ち、レッグ９５が成すべき全てのことは、ポストを充分に付勢することであり、即ち、バネが付勢されてスプロケット９６を次の「休止」（即ち、曜日）位置に「掴まえ」、且つ次の歯車係合となるまでその位置に止めておくことができるように、ポストを充分に付勢することである。このように、通常の「作動」モード或いは針合わせモードの間に筒車が回転すると、曜板が回転することになる。
【００３２】
本発明の別の特徴としては、意図して或いは意図しないで、針（例えば筒車４８）が停止してしまった場合にも、正確な日付け情報が保持できることである。即ち、このような万年歴の日廻リングが、時間を刻む歯車列のなかの別の歯車の回転によって制御（或いは少なくとも影響）される歯車集成体において、針が停止している間は、日廻リング（例えば、日廻リング１２）を駆動するための信号は通常は存在しない。本発明において、日廻リングを回転させる全ての信号送信動作は超小型制御装置６０によって開始される。
【００３３】
このことは本発明にあっては次のようなものである。即ち、図４に示した巻真が図示された位置にあって、巻真１００の歯車１０４が小鉄車（setting wheel）１０５と噛合結合した状態である。この例の場合、ステッピングモータ３０（現在機能停止中であるとする）の回転によって針は自由に回転できる状態ではない。この点については本願出願人が出願中の米国特許出願第10/349,339号に記載されている通りである。このような針合わせの位置では、バネ接点１１０の適切な弾性撓みが存在し、ステッピングモータ３０のロータの回転を停止させることとなる。この点に関しては本願出願人による米国特許出願第10/331,827号に開示の通りである。従って、この場合、日廻リングの回転は、モータ２０に（より正確には、モータ駆動装置に）直接信号を送る事によって達成されなければならない。
【００３４】
本発明の場合、この目的を達成するために、針が停止したときに始まって、２４時間の期間を計測することによって成される。針が停止している間の２４時間のそれぞれの推移において、日廻リングは１つの位置だけ前進する（例えば、「１」 → 「２」）。参照タイミング信号はクォーツ発信器（図示せず）によって発生される。ここで、例えばカウンタを用いて２４時間のカウントを維持することができる。２４時間に達することで、日廻リング１２を次の有効な日付に回転させ、カウンタを次の２４時間のためにリスタートさせる。最悪の場合（例えば、午後１１：５９において針を手動で停止させた場合）を想定したとき、時計がずれた状態（遅れた状態、進んだ状態）となる日の最大数値は「１」である。このようなエラーは、上記が従来構成の改良であること考えれば、明らかに許容できるものである。針が再係合されると（即ち、通常の作動モードとなると）、使用者は次の１２：００時の読みとりが昼か、真夜中かを単に判断し（日廻リングが前進したか否かを目視によって）、これによって針を調整するだけて宜しい。
【００３５】
図７は、本発明の方法、即ち日廻リング１２と曜板９４に関連する操作手順を示している。図７の方法は、例えば前記した本発明の時計１などの装置において、正しく表示された日付および／または曜日の情報を維持するのに好適なものである。
【００３６】
この方法としては、「２４ＨＲ」カウンタをイネーブル（有効）状態とする（ステップ５）、イニシャライズ（ステップ１０）、そしてスタート（ステップ１５）というように、１個若しくはそれ以上のカウンタをイニシャライズすることから始める。しかる後、検知歯車集成体５３が充分に回転したか、即ち、フィンガー（７２，７３，７４）の１個と、関連するパッド（８０，８１，８２）の１個との間の接触が検知されていたか、を判定する（ステップ２０）。検知されていなければ、ステップ２５へと移行し、「２４ＨＲ」カウンタが２４時間のカウントに達したか否かを判定し、達していれば、第１のステッピングモータ２０のロータを所定方向に回転させる（ステップ３０にて）。これにより、日廻車１２が回転して、次の有効日付となる日廻車１２の数字が表示される。上記「２４ＨＲ」カウンタは、ステップ３２で再びイニシャライズされる。
【００３７】
ステップ３５での判定によって、超小型制御装置６０若しくは別個のクォーツ・アナログ回路が第２のステッピングモータ３０のロータの回転を停止させるまでの間（即ち、針が回動を止めたときまでの間）、巻真１００が軸方向に移動して図４に示す位置に移動することによって上記のステップが継続され、これによって、巻真１００の歯車１０４が小鉄車１０５と回動可能に係合される。かくして、この方法によって、超小型制御装置又は別個のクォーツ・アナログ回路が依然として第２のステッピングモータ３０のロータを回転させる信号を送信していない状態のまま、既に経過した時間を引き続き計測することを開始し、続く計測で得られた経過時間が少なくとも基本的には２４時間と等しいことを判定し、そして、ステッピングモータ２０のロータを正しい方向に回転させ、これによって日廻リング１２が回転し、日廻リング１２上の次の数字が表示される。第１のステッピングモータ２０のロータを、上記のように基本的には２４時間毎に連続して回転させ、これによって日廻リングが回転し、次の有効な日付となる次の数字が表示される。そして、この動作は、超小型制御装置若しくは別個のクォーツ・アナログ回路が第２のステッピングモータ３０のロータを回転させる信号を送信しない限り継続して行われる。
【００３８】
ここで、本発明の新規な特徴のひとつについて改めて強調すれば次の通りである。即ち、曜板９４の手動調整の間における正確な日付情報が維持できるということであり、例えば針が何日もの間停止したままとなった後で（但し、日廻リング１２が２４時間毎に回転していることに留意）、適切な曜日情報をセットするに当たって、巻真ならびに筒車４８が回転していても、前記超小型制御装置は日廻リング１２を回転過多とはしないことが重要な点である。この意味でステップ２６乃至ステップ２８は重要である。
【００３９】
本発明による方法は、更に、経過した２４時間の数を計測することである（ステップ２５）。針が回転していないとき、このモードにおいて経過した日の数がステップ２６−２８で維持され、「７日」カウンタが経過した２４時間の数を計測し続ける（ステップ２６）。この７日カウンタが７の数値に達すると（ステップ２７）、それはリセットされる（ステップ２８）。上記７日カウンタが、例えば１１（或いは１８，その他）に到達すると、７日カウンタがあたかも「４」に達したかのような調整を行う結果となる。このような特徴は、曜板９４が調整中であるときに日廻リング１２の回転をブロックすることができることであるので、検知歯車集成体５３が、ミッドナイト位置を順方向に（即ち、フィンガー７２がパッド８０と電気的に接続した後でフィンガー７３がパッド８１に接続）、或いは、逆方向（即ち、フィンガー７３がパッド８１と電気的に接続した後でフィンガー７２がパッド８０に電気的に接続）に通過していることを超小型制御装置６０が検知しているであろうとも、上記超小型制御装置は日廻リング１２をさらに回転させることなく、所定位置に保持することになる。しかしながら、フィンガー７２、７３と、それぞれの関連するパッド８０，８１との間において検知された接触数が上記の７日カウンタ内の現在値と等しくなるまで、超小型制御装置６０はステッピングモータ２０を回転させることはない。このように、針が停止し曜板を調整することが望ましくなった後では、曜日並びに日付が正しく再調整されるときまで、日廻リングは回転しない。
【００４０】
以上の説明より理解されるように、上記の実施例の場合、曜廻リング（day ring）が所定の方向（時計方向又は反時計方向）に回転中である。即ち、もし上記曜廻リングが反対方向に回転させて調整したとすると、フィンガー７３とそれに関連するパッド８１との接触の数は、超小型制御装置６０としてはブロック状態（即ち、日廻リングの回転が無いこと）の維持を望むであろうし、数字の「７」から差し引いた７日カウンタの数値となるであろう。このように、曜板は前方又はそれとは逆方向に調整可能となり、他方、日廻リングは「日」の適切な数字のためにブロック状態を維持できる。
【００４１】
このように、曜板９４は巻真１００と筒車４８を回転させてマニュアル調整が可能となる。しかしながら、この手順で実施すると検知歯車集成体５３を回転させる結果となる。従って、超小型制御装置６０によって如何なる作動も抑制することによって日廻リング１２の更なる回転をブロックすることが達成できる。このことは、検知歯車集成体５３の回転によって超小型制御装置６０に信号を送ることで正常になし得る。
【００４２】
上記のように、図７は通常作動（即ち、第２のステッピングモータ３０のロータが超小型制御装置６０の通常制御のもとで回転している場合）のための好ましい方法を示している。かような通常運転の場合、日廻リング１２は検知歯車集成体５３から信号を送ることで決定される。
【００４３】
即ち、時計１の通常の作動モードでは、日付及び／又は曜日の情報を維持して表示する方法には次のステップがある。即ち、検知歯車が時計方向又は反時計方向に所定の数の回転だけ回転されたことを判定すること（ステップ４０）、そして、日廻リングが時計方向と反時計方向のいずれか一方に回転できるように、ステッピングモータ２０のロータを回転させること（ステップ４５）である。上記のステップに関しては前記検知歯車集成体５３の説明において詳述した通りである。しかしながら、更に充分な理解に供するために記載すれば、本発明は次のステップを有する。
即ち、もし超小型制御装置６０が第２のフィンガーと第２の導電パッドとの間の電気的接続を検知し、且つ、以前に検知された電気的接続が第１のフィンガーと第１の導電パッドとの間のものである場合には、日廻リング１２を時計方向又は反時計方向に回転し、そして、
もし上記超小型制御装置が第１のフィンガーと第１の導電パッドとの間の電気的接続を検知し、且つ以前に検知された電気的接続が第２のフィンガーと第２の導電パッドとの間のものである場合には、上記日廻リングを反対方向に回転する。
【００４４】
上記以外の特徴は図７の図示したものと同様である。例えば、フィンガー７２，７３，７４と対応する導電パッド８０，８１，８２との間の検知された電気的接続の順序に基づいて、中間のステップ４３において表示された曜日が不正確と判断された場合（例えば、７日カウンタは内蔵されたゼロ（０）とは異なる数値を有する）、上記７日カウンタはステップ５０にて調整される。その後、上記７日カウンタは、ステップ２６−２８の場合と同じように、ステップ５２とステップ５３にて調整される。このように、曜板９４がマニュアル操作にて調整されると、前記した場合と同じように、日廻リング１２に関する回転の適切なブロックが可能となる。
【００４５】
更に図７の説明として追加すれば、もし超小型制御装置６０が、ステッピングモータ３０のロータがイネーブル（待機状態を解いて作動可能とする）状態のモードにあるときは（即ち、ステップ３５での判定がＮＯの回答であるとき）、この方法においては、２４時間カウンタを好ましくはディスエーブル（機能の一時的抑止）状態とし（ステップ５５）、そして恐らくは、時計１はその通常の「運転モード」に戻るのである。
尚、ステップ６０と６５は本発明の曜日合わせのための手段として随意的に設けたものである。
【００４６】
本発明は従来技術では期待できない数多くの効果が得られるものである。例えば、本発明は、ステッピングモータを利用した日付及び／又は曜日の表示体を備えた改良された時計を提供し、また、この表示体が容易に調整が可能である。これによって、カレンダーの日付及び／又は曜日が継続的に正確に維持できる利点がある。更に、本発明の方法においては、正確な日付情報の維持には経過した２４時間を計算するための特別の時間参照手段を必要としない利点がある。更には、日付情報との更なる不一致を許容することなく、曜日情報を調整するための新規で改良された方法を提供できるものである。事実、本発明にあっては従来に比較してより迅速且つより正確で効率的な曜日／日付の較正を可能とするものである。更に、従来の場合には必須であった精度の高い電気的接触の信頼性について特に要求されない、改良された構成を提供するものである。
【００４７】
本発明の更なる理解に供するために以下の通り説明する。好ましい三番車（third wheel）４０の構成としては、ツーピースの集成体（歯車とカナの結合）であり、針の位置合わせ操作中に摩擦係合可能とするものである。このように秒針（図示せず）とステッピングモータ３０を適切にディスエーブル（機能抑止状態）とすることが可能である。さらに、モータ３０がディスエーブルとなった場合、例えば小鉄車１００が図４に図示された位置にあるような場合、本発明では電池の寿命を長く維持でき、同時に、針を停止させながらも必要に応じて常に正確な日付が示せるものである。
【００４８】
以上、本発明の好ましい具体的な実施例について説明したが本発明はこの実施例に限定されるものではなく、本発明の技術的思想に基づいて種々の変更が可能である。
【図面の簡単な説明】
【００４９】
【図１】本発明の一実施例による日付表示集成体の上面図である。
【図２】本発明による日付維持装置の斜視図であり、検知歯車とバネ集成体を示すものである。
【図３】図２に示した日付維持装置の断面図である。
【図４】本発明による日付維持装置の斜視図であり、本発明による曜日維持装置の具体的構成を示している。
【図５】本発明による曜日維持、日付表示、及び日付維持装置のそれぞれの集成体を主として示した断面図である。
【図６】本発明による曜日維持装置の上面図である。
【図７】本発明による日付及び／または曜日の情報の正確な維持のための方法を示すフロー図である。
【図８】本発明の日付及び／又は曜日表示装置を取り付けた時計の、一部を破断した斜視図である。
【符号の説明】
【００５０】
１２：日廻リング（date ring）
１６：日廻車（date wheel）
１８：中間歯車（intermediate date wheel）
２０、３０：ステッピングモータ
４４：二番歯車（center wheel）
４６：日の裏車（minute wheel）
４８：筒車（hour wheel）
５３：検知歯車集成体
６０：超小型制御装置
９３：曜車（day wheel）
９４：曜板（day disc）
【図１】
2007511762.tif 000002
【図２】
2007511762.tif 000003
【図３】
2007511762.tif 000004
【図４】
2007511762.tif 000005
【図５】
2007511762.tif 000006
【図６】
2007511762.tif 000007
【図７】
2007511762.tif 000008
【図８】
2007511762.tif 000009
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
日付表示集成体を備えた時計であって、この日付表示集成体は、
複数の数字を表示した日廻リング（date ring)と、
１個若しくはそれ以上の歯車を有しそれぞれの歯車が上記日廻リングと螺合して日廻リングを回転させるようにした第１の歯車集成体と、
上記第１の歯車集成体の１個若しくはそれ以上の歯車に回動可能に係合したロータを備え、このロータの回転で日廻リングを回転せしめるようにしたステッピングモータとを有し、
更にこの時計は上記日付表示集成体と作動結合された日付維持（date-keeping）集成体を有し、この日付維持集成体は、
少なくとも筒車（hour wheel)とこの筒車に回転可能に作動結合した検知歯車（detection wheel）集成体を有する第２の歯車集成体と、少なくとも３個の屈曲性を有するフィンガーからなるバネ集成体を有し、上記検知歯車集成体は第１のタブ、第２のタブおよび第３のタブを有し、上記タブにおいて、
上記第１のタブだけが上記第１のフィンガーと接触可能であり、
上記第２のタブだけが上記第２のフィンガーと接触可能であり、
上記第３のタブだけが上記第３のフィンガーと接触可能であり、
上記検知歯車が時計方向又は反時計方向に所定量の回転をなすことによって上記ステッピングモータのロータを回転させ、この結果上記日廻リングが時計方向・反時計方向のいずれかに回転でき、これによって、所定のミッドナイト（真夜中）位置を介してなされる筒車の回転によって、上記ステッピングモータが日廻リングを所定の度合いだけ回転せしめ、数字が表示された日廻リングを前方又は後方に進めるようにしてなることを特徴とする時計。
【請求項２】
前記日付維持集成体は、
ロータを備えた少なくとも第２のステッピンブモータを有し、上記ロータは上記筒車と作動結合しており、
上記筒車は少なくとも上記第２のステッピングモータによって回転されることを特徴とする請求項１に記載の時計。
【請求項３】
上記タブのそれぞれは互いに異なる水平面に、且つ上記検知歯車の軸心に沿って隔離された位置に、配置されていることを特徴とする請求項１に記載の時計。
【請求項４】
上記日付維持集成体は、第１、第２および第３の導電パッドを有し、この導電パッドには前記屈曲性のフィンガーが接触可能となっており、
上記第１のタブが上記第１のフィンガーと接触すると、上記第１のフィンガーが上記第１の導電パッドと電気的に接触し、
上記第２のタブが上記上記第２のフィンガーと接触すると、上記第２のフィンガーが上記第２の導電パッドと電気的に接触し、
上記第３のタブが上記上記第３のフィンガーと接触すると、上記第３のフィンガーが上記第３の導電パッドと電気的に接触し、
上記それぞれのフィンガーのうち、２個のフィンガーが同時に対応する導電パッドとは接触不能としてあり、
さらに超小型制御装置若しくはクォーツ・アナログが設けられて、上記検知歯車の回転情報を維持し、上記屈曲性フィンガーと対応する導電パッドとの間の接触動作に基づいて、上記検知歯車が時計方向若しくは反時計方向に回転しているか否かの情報を維持してなる、請求項１に記載の時計。
【請求項５】
上記日付維持集成体は、上記筒車と上記検知歯車との間において係合する中間歯車を有し、
上記筒車の回転によって上記中間歯車を回転させ、上記中間歯車が上記検知歯車に回転を付与し、さらに
上記筒車と上記検知歯車が２：１の割合となるように上記中間歯車の寸法としたことを特徴とする請求項２の時計。
【請求項６】
上記時計はケースと日付表示の為の窓を有し、この窓から数字が見えるように上記日廻リングが上記ケース内に配列されていることを特徴とする請求項１に記載の時計。
【請求項７】
時計の日付と曜日の情報の少なくとも一方を維持且つ表示する時計の方法において、上記時計は、
複数の数字を有する日廻しリングと、上記日廻しリングと螺合する１個若しくはそれ以上の歯車を備えて上記１個若しくはそれ以上の歯車が回転すると上記日廻しリングを回転せしめる第１の歯車集成体と、更に、ロータを有する第１のステッピングモータを備え、上記第１のステッピングモータのロータが上記第１の歯車集成体の上記少なくとも１個若しくはそれ以上の歯車と結合してなる日付表示集成体と、
上記日付表示集成体と作動結合する日付維持集成体と、
上記日付維持集成体は筒車とこの筒車と作動結合する検知歯車集成体とを備
えており、
上記第１のステッピングモータの回転の信号を送る信号送り手段と、
上記上記検知歯車集成体の所定量の時計方向若しくは反時計方向の回転によ
って上記信号送り手段に信号を送り、上記第１のステッピングモータのロー
タを回転させるようにしてなり、
ロータを有する少なくとも第２のステッピングモータとを有し、
上記少なくとも第２のステッピングモータのロータは上記筒車と作動結合し
ており、上記筒車は上記第２のステッピングモータの回転によって少なくと
も部分的に回転可能であり、上記第２のステッピングモータのロータは上記
信号送り手段の制御のもとで回転がなされ、
前記時計は筒車と係合可能な歯車機構と離脱可能に係合できる合わせ巻真を有し、上記筒車は曜日の表示を有する曜板と回動可能に結合されており、
上記情報の維持と表示の方法は、
上記第２のステッピングモータのロータの回転がいつ停止したかを決定し、経過した時間の計測を開始し、この計測開始がその日の時間とは独立してなされるようにしたステップと、
経過した時間が、少なくとも基本的に２４時間に等しいときを決定するステップと、
上記第１のステッピングモータのロータを進行させ、これによって日廻しリンを回転させ、日廻しリングの数字が次の正確な日付を表示するようにしたステップ、
経過した２４時間の数を計測するステップと、
前記信号送り手段が第２のステッピングモータを回転させる信号を提供していない間であって、上記合わせ巻真が歯車機構と係合している間において、
上記合わせ巻真を回動することで曜板を調整するステップと、
上記曜板は、計測された経過した２４時間の数に基づいて計算された日の数
だけ調整可能に回転され、更に
上記曜板が計算された数の日だけ回転するまで前記第１のステッピングモータのロータの回転を停止することによって、日廻リングの更なる回転をブロックするブロッキングステップ、
を有してなる方法。
【請求項８】
請求項７において、上記方法は、
前記信号送り手段が前記第２のステッピングモータのロータ回転信号を提供していない間、経過した時間を引き続き計測を開始するステップと、
上記引き続いてなされた計測の経過時間が、いつ少なくとも基本的には２４時間となるかを決定するステップと、更に
日廻リングが回転して日廻リングの数字が次の正しい日付を表示するように、上記第１のステッピングモータのロータを回転させるステップ、とを有する請求項１０に記載の方法。
【請求項９】
請求項８において、上記方法は、
上記信号送り手段が上記第２のステッピングモータの回転信号を提供していない間、経過した時間を更に追加的に継続して開始するステップと、更に、
日廻リングが回転して数字が次の正しい日付を表示するように、前記第１のステッピングモータのロータを所定方向に基本的に２４時間毎に回転させるステップ、とを有する請求項７に記載の方法。
【請求項１０】
上記ブロッキングステップは、前記信号送り手段から上記第１のステッピングモータのロータを回転させるための信号を送るのを抑制することを含むことを特徴とする請求項７に記載の方法。
【請求項１１】
請求項７において、測定された経過した２４時間の数を維持する曜日カウンタを有し、上記方法は、
経過した２４時間の数が「７」に等しいか否かを決定し、等しい場合には、上記曜日カウンタを初期値にイニシャライズするステップ、を有する請求項７に記載の方法。
【請求項１２】
時計の日付と曜日の少なくとも一方を維持し表示する方法であって、
上記時計は、
複数の数字を備えた日廻リングと、上記日廻リングと螺合結合する１個若しくはそれ以上の歯車を備えて上記歯車が回転すると上記日廻リングが回転するにようにした第１の歯車集成体と、ロータを備えたステッピングモータを備えてなり、上記ステッピングモータのロータは上記第１の歯車集成体の少なくとも１個若しくはそれ以上の歯車と回転可能に結合している構成とした日付表示集成体と、
上記日廻集成体と作動結合した日付維持集成体とを有し、
上記日付維持集成体は、筒車と、この筒車に作動結合した検知歯車を有し、
上記日付維持集成体は、少なくとも３個の屈曲性フィンガーを備え、上記検知歯車集成体は第１のタブと第２のタブおよび第３のタブを有しており、上記タブのそれぞれは、（１）第１のタブのみが第１のフィンガーと接触可能であり、（２）第２のタブのみが第２のフィンガーと接触可能であり、（３）第３のタブのみが第３のフィンガーと接触可能となるように、それぞれ配置されてなるバネ集成体と、さらに
上記３個の屈曲性フィンガーのそれぞれに接触ができる第１、第２および第３の導電パッド、
を有し、
上記第１のタブが上記第１のフィンガーに接すると、上記第１のフィンガーは上記第１の導電パッドと電気的に接続し、
上記第２のタブが上記第２のフィンガーに接すると、上記第２のフィンガーは上記第２の導電パッドと電気的に接続し、
上記第３のタブが上記第３のフィンガーに接すると、上記第３のフィンガーは上記第３の導電パッドと電気的に接続し、且つ、上記フィンガーのうち２個のフィンガーがそれぞれの導電パッドと同時には接続できないようになっており、
更に、上記検知歯車集成体の回転に関する情報と、上記検知歯車集成体が前記屈曲性フィンガーと対応する導電パッドとの接触に基づいて時計方向又は反時計方向に回転しているか否かの情報を維持する手段とを有し、
上記検知歯車集成体が時計方向又は反時計方向に回転することによって、上記ステッピングモータのロータを回転させ、上記日廻リングを時計方向又は反時計方向に回転させ、
前記方法は、
上記検知歯車が所定の増分の数だけ時計方向または反時計方向に回転されていたかを決定するステップと、
上記ステッピングモータのロータを回転させて、日廻リングが時計方向又は反時計方向に回転できるようにしてなる、方法。
【請求項１３】
上記信号送り手段は、超小型制御装置若しくはクォーツ・アナログ回路である、請求項７に記載の方法。
【国際調査報告】
2007511762.tif 000010
2007511762.tif 000011